(57)【要約】      （修正有）【課題】デスクトップ型パソコンにデータを入力する際使用するデータホルダーにおいて、簡単な構造で、目と首が疲れることがなく、折りたたみ可能で、モニターとキーボートの間に置いて使えるデータホルダーを提供する。【解決手段】三枚の板状物体をホルダー第一面、ホルダー第二面、ホルダー第三面の順に並べ、長いほうの辺を開閉自在に連結させ、ホルダーを開いたとき三角柱型を保つようにして、第一面と第三面にクリップ等の原稿を取り付けるための原稿紙固定部を設け、折りたたみ可能にした三角柱型データホルダー。【選択図】図１
2006053879.tif 000002
【特許請求の範囲】
【請求項１】
ホルダー第一面（１）とホルダー第二面（２）とホルダー第三面（３）との、三面のホルダーより形成され、上記三面のホルダーは三枚の板状物体よりなり、上記三枚の板状物体は一定の角度まで開閉自在に連結され、折りたたみ可能であり、上記ホルダー第一面（１）とホルダー第三面（３）にそれぞれ原稿固定部（４Ａ）と（４Ｂ）を設け、上記ホルダー第一面（１）とホルダー第二面（２）とホルダー第三面（３）とのいずれかの面にホルダー固定部（５Ａ）と（５Ｂ）を設けた三角柱型データホルダー。
【発明の詳細な説明】
【技術分野】
【０００１】  本発明は、デスクトップコンピュータ（パソコン）にデータを入力する際に使用するデータホルダーに関するものである。
【背景技術】
【０００２】  従来、パソコンにデータを入力する際に使用するいくつかの原稿立て、データホルダー、及び原稿固定方法が一般に知られている。
【発明の開示】
【発明が解決しようとする課題】
【０００３】  従来の原稿立て及びデータホルダー（以下はデータホルダーと統称する）における原稿の固定方法は、ほとんどが入力する際に原稿紙を展開した状態で読見取ることを前提として、その展開した原稿紙をどのように対象機器に取り付けるか、或いは対象機器の傍に固定するかが工夫された物である。
そのため従来のデータホルダーは、その構造、原稿の設置（固定）方法、着脱方法、折りたたみ方法などは様々な特徴があるものの、あくまでも原稿紙の設置位置がモニターの右か左になってしまうと言う共通点があった。
原稿の位置が対象機器のモニターの右か左にある場合、入力する際の視線は対象機器のモニターとキーボートと原稿との三個所を見るために三角形の動きを繰り返さなければならないし、キーボートを見る必要がない人にしても、原稿を読み取るには首を原稿とモニターの間を横に動かさなければならない。
そのため首や眼が疲れる、原稿をすぐ読み取りにくい、仕事の効率が悪いなどの問題点があるだけでなく、原稿を展開した分の設置場所を必要とする。
本発明の目的は、デスクトップコンピュータにもっとも相応しく、上記の様々な問題を解決し、より簡単で使いやすいデータホルダーを提供することである。
【課題を解決するための手段】
【０００４】  現在市販のパソコンは大きくノート型パソコンとデスクトップ型パソコンの２種類に分けられるのだが、ノート型パソコンは携帯用として使用する場合が多く、会社の職場や一般家庭ではデスクトップ型が大半を占める。
しかし、大半を占めるデスクトップ型パソコンにはモニターの左右両側以外にも原稿の設置可能な場所がある。
その場所とはモニターとキーボートの間のスペースである。
人がパソコンの前に座って作業を行うとき、モニターと人体の距離は視力、年齢、身長などにより多少の差はあるが、大体５０ｃｍから６０ｃｍが最も一般的である。
そして人体とキーボートの距離が約２０ｃｍ、キーボートの奥幅が普通１５ｃｍから２０ｃｍであるので、モニターとキーボートの間に１５ｃｍから２０ｃｍ位のスペースが空くことになる。
また、一般的にモニターのスクリーンはテーブルの卓面から高さ約１０ｃｍから１５ｃｍくらい離れているので、モニターとキーボートとの間の１５ｃｍから２０ｃｍ位のスペースこそが、データホルダーを設置する最適の場所である。
しかし、このスペースには一般的に最も多く使われているＢ５版やＡ４版サイズの原稿用紙を展開して置くと、モニターを見るのに邪魔になってしまう。
本発明は上記の様々な要因を考慮し、原稿をモニターとキーボートとの間のスペースに置いても邪魔にならないし、読み取りにおいても便利なホルダーを提供する。
具体的には下記の構造により構成される。
データホルダーはホルダー第一面とホルダー第二面とホルダー第三面との三面のホルダーより形成され、上記の三面のホルダーは三枚の板状物体よりなる。
上記の三枚の板状物体の平均的な大きさは大抵、幅１２ｃｍ、長さ２８ｃｍ位の長方形であり、この大きさはＡ４版よりやや大きいサイズの紙を縦の状態で横に三等分した大きさに相当する。
上記三枚の板状物体をホルダー第一面、ホルダー第二面、ホルダー第三面の順に並べ、長いほうの辺を開閉自在に連結させ、折りたたみ可能にする。
しかし、上記板状物体の連結方法としては、三枚の板状物体を上述した順番通り並べて開閉自在に連結する方法と、板状物体は分離した状態にし、板状物体の辺縁に枠を取り付け、その枠同士を開閉自在に連結する方法と、または上記二つの方法を組み合わせた方法、もしくは板状物体が弾性を持つ材質である場合は、板状物体を３枚に分割しないで、合体された一枚の板状物体に折り目をつけ、材質の弾力を利用してそのまま折りたたみ可能にする等、多様な方法が利用可能なので、この限りではない。
また、連結口の所は蝶番、軸、枢、ピン等の部品を利用することと、その原理や方法を利用することも可能だが、どの方法で連結しても、板状物体が６０度以上は開かないようにし、それによって、ホルダーを開いたとき三角柱型を保つようにする。
そして上記３枚の板状物体の第一面と第３面にクリップ等の原稿を取り付けるための原稿紙固定部を設ける。
また、上記三面のホルダーのいずれかの面の両側にホルダー固定部を設ける。
本発明は以上の構造により構成されており、次のような効果を表す。
【発明の効果】
【０００５】（イ）ホルダーをモニターとキーボートとの間に設置することにより、データを読み取る時の視線を横に動かす必要がなく、パソコンのモニターとデータホルダーとキーボートとの３点の最短距離を、視線を上下に動かせるだけで、目と首が疲れることがなく、速くて楽にデータを読み取ることができる。
（ロ）ホルダーをモニターとキーボートとの間に設置するための形状としては、三角柱型以外にも四角柱型、または多角柱型、もしくは円筒型等も考えられるのだが、重心を安定させるために、別途支持部材や回転軸などを設けるなど複雑な構造を取る必要がなく、データを読み取るためにホルダーを頻繁に回転させる必要もなく、自身の形状だけで安定性が良く、またデータを読み取るとき、原稿紙が人に面する角度は３面とも、常に６０度前後のデータを読み取るに最適の角度となることができるのは三角柱型のみである。
（ハ）原稿を三等分に折ってホルダーに巻きつけると、その原稿の一面の大きさは原稿を開いた状態の約三分の一になるので、モニターとキーボートとの間に置くだけで、特に広い設置場所を必要としないし、普段は好みの写真、風景画、メモ用紙などをつけておいたり、カレンダー台として使うなどの応用も可能である。
（二）Ａ４版サイズよりやや大きい板状物体一枚の素材とわずかな付属品だけで簡単に作れるし、また折りたたみ可能なので、生産コストや、流通コストが安く、携帯にも保管にも便利である等の利点がある。
【発明を実施するための最良の形態】
【０００６】  以下、本発明の実施形態について図面を参照しながら説明する。
Ａ４版サイズよりやや大きい板状物体を縦の状態で横に３枚に切り分ける。
もしくは上記の切り分けた板状物体と同等サイズの３枚の板状物体を使用し、その３枚の板状物をホルダー第一面（１）、ホルダー第二面（２）、ホルダー第三面（３）の順に並べ、開閉自在に連結させ、折りたたみ可能にする。
上記三枚の板状物体の材質が軟質のプラスチックや合成樹脂等の弾力を持つ素材の場合は、完全に切り離さないで、切り口に折り目を入れるか、折り線の所を薄くするなどの方法でおりたたみ可能にしても良い。
上記の三枚の板状物体の材質が金属等の硬質素材の場合は、三枚の板状物体を完全に切り離し、その板状物体の辺縁に枠（６）を取り付け、その枠（６）を軸接やジョイントして折りたたみ可能にする方法も可能である。
どちらの方法にしても、上記三枚の板状物体はホルダー第一面（１）と第二面（２）を、ホルダー第三面（３）よりやや大きくし、折りたたんだ時、第三面（３）が、第一面（１）と第二面（２）の間に挟まれるようにする。
また、上記三面のホルダーの連結口の所は、板状物体が約６０度以上は開かないようにし、それによって、ホルダーを開いたとき三角柱型を保つようにする。
そして上記３枚の板状物体の第一面（１）と第３面（３）にそれぞれ原稿を取り付けるためのクリップなどの原稿固定部（４Ａ）と（４Ｂ）を設ける。
また、上記３枚の板状物体の第二面（２）の左右両側にホルダーをおりたたんだ時板状物体を固定し、開いた時は板状物体の第三面（３）が内側に倒れないように支える役割をするためのフック等のホルダー固定部（５Ａ）と（５Ｂ）を設ける。
ホルダー固定部がフックではなく、磁石や系止具、リングなどにする場合、ホルダー固定部の設置場所は、ホルダー第二面（２）に限らず、ホルダー第一面（１）、もしくは第三面（３）に設けることも可能である。
本発明を生産するに当たっては、合成樹脂、木材、金属などを原材料に使うことが可能である。
本発明は上記の構造からなり、これを使用する時は下記の通りである。
【実施例】
【０００７】  まず、折りたたんだ状態でのデータホルダーの両側の固定部（５Ａ、５Ｂ）を開いてロックを解除し、ホルダーの第一面（１）と第二面（２）を軽く持ち上げ、三角形に立てた後、固定部（５Ａ）と（５Ｂ）を元の位置に戻す。
戻された固定部（５Ａ、５Ｂ）は、ちょうどホルダー第三面（３）が倒れないように支え、ホルダー第三面（３）がホルダー第一面（１）を支え、また持ち上げたホルダー第一面（１）と第三面（３）は約６０度以上開かないようになったため、データホルダーは自然に「△」型の形状を保つようになる。
原稿がＡ４版サイズであって、データが横書きになった場合は、原稿の最上部をホルダー第一面（１）の紙固定部（Ａ４）に取り付ける。
そして、データホルダーを回しながら原稿をホルダーの第二面（２）と第三面（３）に巻きつけ、原稿の最下部をホルダー第三面の紙固定部（４Ｂ）に取り付け、ホルダーをモニターとキーボートの間に置くと設置完了となる。
ホルダー第一面（１）からデータを読み取りながら入力し、第一面が終わったら、ホルダーを回わして第二面（２）を正面に向けて置き、第一面と同じ手順で読み取りながら入力し、同じ方法で第三面を入力する。
データが複数枚の場合は、入力が終わったページを紙固定部（４Ｂ）から外して、ホルダーの第一面の紙固定部（４Ａ）から巻き上げ両手の指でホルダー第一面（１）と第三面（３）の間から三角形の内側に押し入れると、原稿はホルダー内側の三角形の空間に納まるし、次のページがホルダーの表面になるので、上記と同じ手順で入力し、同じ手順で原稿入力が終わるまで繰り返す。
原稿がＡ４版より大きいサイズである場合は、データホルダーの第一面（１）と第二面（２）は上記と同じ手順で原稿を取り付け、第三面（３）は余った原稿部分を折り重ねて紙固定部（４Ｂ）に取り付けて入力する。第三面（３）のデータの入力が終わったら、固定部（４Ｂ）に取り付けた原稿を開くと、原稿紙に折り目をつけたため、暫くの間は形が崩れないので、残ったデータを入力すればよい。
原稿がＡ４版より小さいサイズの場合は、またはデータが紙を横に記入されたため、ホルダーに原稿を巻きつけても下の部分がホルダー第三面（３）の紙固定部（４Ｂ）まで届かない場合は、第一面の紙固定部（４Ａ）に原稿を取り付けた後、残り部分はそのままホルダーの面に沿って折り目をつけて、第２面（２）もしくは第３面（３）の下に折り込んで入力すればよい。
【図面の簡単な説明】
【０００８】
【図１】本発明の開いた状態の斜視図である。
【図２】本発明の折りたたんだ状態の斜視図である。
【図３】本発明のＡ４版サイズの原稿をセットした状態の斜視図である。
【図４】本発明の入力済み原稿をホルダーの内側に収納した状態の斜視図である。
【図５】本発明の第二面板状物体が入力正面になった状態の斜視図である。
【図６】本発明の第三面板状物体が入力正面になった状態の斜視図である。
【図７】本発明の入力際ホルダーの位置及び視線の動きを示すイメージ図である。
【符号の説明】
【０００９】１    ホルダー第一面の板状物体
２    ホルダー第二面の板状物体
３    ホルダー第三面の板状物体
４Ａ  ホルダー第一面の紙固定部
４Ｂ  ホルダー第三面の紙固定部
５Ａ  ホルダー固定部
５Ｂ  ホルダー固定部
６    辺縁枠
７Ａ  入力前の原稿
７Ｂ  入力済みの原稿
８    モニター
９    モニターの画面
１０  データホルダー
１１  キーボート
１２  視線の動き幅及び方向
【図１】
2006053879.tif 000003
【図２】
2006053879.tif 000004
【図３】
2006053879.tif 000005
【図４】
2006053879.tif 000006
【図５】
2006053879.tif 000007
【図６】
2006053879.tif 000008
【図７】
2006053879.tif 000009